【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
ディスプレイ装置及び無線信号源から、販売促進の機会を受信する手持式デバイスであって、
手持式デバイスに配置されて前記ディスプレイ装置から直接販売促進の機会を受信する光検出器と、
手持式デバイスに配置されて前記無線信号源から送信された販売促進の機会を受信する無線周波（RF） 受信機と、
手持式デバイスに配置されて、手持式デバイスが受信した販売促進の機会を処理する中央演算装置（CPU）及び回路と、
手持式デバイス上にあって、ディスプレイ装置、無線信号源の一方または双方からの販売促進の機会を復号する復号手段と、
手持式デバイスに配置されて、前記CPUと連結して販売促進の機会を保存するメモリを備える
ことを特徴とする手持式デバイス。
【請求項２】
前記手持式デバイスにおいて、前記無線信号源は受信した販売促進の機会を復調するデコーダボックスである
ことを特徴とする請求項１に記載の手持式デバイス。
【請求項３】
前記手持式デバイスには、受信した販売促進の機会を表示するディスプレイがさらに配置されている
ことを特徴とする請求項１に記載の手持式デバイス。
【請求項４】
前記手持式デバイスにおいて、前記ディスプレイは、液晶（LCD）表示画面、タッチスクリーン、または１つ以上の発光ダイオード（LED）である
ことを特徴とする請求項３に記載の手持式デバイス。
【請求項５】
無線信号源から、販売促進の機会を含むデータを受信する手持式デバイスであって、
手持式デバイスに配置されて前記無線信号源から送信されたデータを受信する無線周波（RF） 受信機と、
手持式デバイス上にあって、無線信号源から受信したデータを復調して販売促進の機会を得る無線受信機と、
手持式デバイスに配置されて、手持式デバイスで復調したデータから受信した販売促進の機会を処理する中央演算装置（CPU）と、
手持式デバイスに配置され、前記CPUと連結して販売促進の機会を保存するメモリを備える
ことを特徴とする手持式デバイス。
【請求項６】
発信元から補助データを受信し、発信元から提供された情報と関連付けて予め手持式デバイスに保存された１つ以上の販売促進の機会を供給する手持式デバイスであって、
手持式デバイスに配置されて、前記情報が提供されている間に発信元から補助データを受信する受信機と、
手持式デバイスに配置される中央演算装置（CPU）とその他の回路を備え、手持式デバイスは、受信した補助データと予め保存された使用者のための１つ以上の販売促進の機会をトリガーする予め保存されたデータとを比較する
ことを特徴とする手持式デバイス。
【請求項７】
前記手持式デバイスにおいて、前記発信元はディスプレイ装置であり、前記受信機は光検出器である
ことを特徴とする請求項６に記載の手持式デバイス。
【請求項８】
前記手持式デバイスにおいて、前記発信元は無線信号源であり、前記受信機は無線周波（RF） 受信機である
ことを特徴とする請求項６に記載の手持式デバイス。
【請求項９】
前記手持式デバイスにおいて、前記発信元はディスプレイ装置及び無線信号源である
ことを特徴とする請求項６に記載の手持式デバイス。
【請求項１０】
前記手持式デバイスにおいて、前記受信機は光検出器及び無線周波（RF）受信機の双方である
ことを特徴とする請求項７に記載の手持式デバイス。
【請求項１１】
発信元より提供された１つ以上の関連する販売促進の機会を使用者に供給する手持式デバイスであって、
手持式デバイスに配置されて、前記発信元から前記１つ以上の関連する販売促進の機会を受信する受信機と、
手持式デバイスに配置されて、手持式デバイスが受信した前記関連する販売促進の機会を処理する中央演算装置（CPU）とその他の回路と
手持式デバイスに配置され、前記CPUと連結して前記関連する販売促進の機会を保存するメモリと、
手持式デバイスに配置されて、手持式デバイスの使用者に関連する販売促進の機会の各レベルを表示する英数字ではない印表示を備える
ことを特徴とする手持式デバイス。
【請求項１２】
前記手持式デバイスにおいて、前記発信元はディスプレイ装置であり、前記受信機は光検出器である
ことを特徴とする請求項１１に記載の手持式デバイス。
【請求項１３】
前記手持式デバイスにおいて、前記発信元は無線信号源であり、前記受信機は無線周波（RF）受信機である
ことを特徴とする請求項１１に記載の手持式デバイス。
【請求項１４】
前記手持式デバイスにおいて、前記発信元はディスプレイ装置及び無線信号源であり、前記受信機は光検出器及び無線周波（RF）受信機である
ことを特徴とする請求項１１に記載の手持式デバイス。
【請求項１５】
前記手持式デバイスにおいて、前記印表示は複数のLEDである
ことを特徴とする請求項１１に記載の手持式デバイス。
【請求項１６】
前記手持式デバイスにおいて、前記LEDは同色または異なる色であ
り、手持式デバイスが受信した前記販売促進の機会または補助データの印を表示する
ことを特徴とする請求項１５に記載の手持式デバイス。
【請求項１７】
前記手持式デバイスにおいて、前記各レベルは、手持式デバイスが受信した前記関連する販売促進の機会に対応して、連続して点灯するLEDである
ことを特徴とする請求項１５に記載の手持式デバイス。
【請求項１８】
前記手持式デバイスにおいて、前記各レベルは手持式デバイスが受信した１つ以上の販売促進の機会に対応する少なくとも一つのLEDを点灯させる
ことを特徴とする請求項１５に記載の手持式デバイス。
【請求項１９】
コンピュータに通信処理される販売促進の機会を供給して償還するために発信元から使用者に提供される手持式デバイスであって、
手持式デバイスに配置されて、前記発信元から前記販売促進の機会を受信する受信機と、
手持式デバイスに配置されて、手持式デバイスが受信した前記販売促進の機会を処理する中央演算装置（CPU）とその他の回路と
手持式デバイスに配置され、前記CPUと連結して販売促進の機会を保存するメモリと、
手持式デバイス上にあって、コンピュータと通信して前記販売促進の機会を処理するコンピュータインターフェース手段を備える
ことを特徴とする手持式デバイス。
【請求項２０】
前記手持式デバイスには、前記発信元から受信した販売促進の機会を復号するデコーダがさらに配置される
ことを特徴とする請求項１９に記載の手持式デバイス。
【請求項２１】
前記手持式デバイスにおいて、前記発信元はディスプレイ装置であり、受信機は光検出器である
ことを特徴とする請求項１９に記載の手持式デバイス。
【請求項２２】
前記手持式デバイスにおいて、前記発信元は無線信号源であり、受信機は無線周波（RF）受信機である
ことを特徴とする請求項１９に記載の手持式デバイス。
【請求項２３】
前記手持式デバイスにおいて、前記発信元はディスプレイ装置及び無線信号源である
ことを特徴とする請求項１９に記載の手持式デバイス。
【請求項２４】
前記手持式デバイスにおいて、前記受信機は光検出器及び無線周波（RF）受信機である
ことを特徴とする請求項２３に記載の手持式デバイス。
【請求項２５】
前記手持式デバイスにおいて、前記コンピュータインターフェース手段は前記販売促進の機会をコンピュータに転送する持ち運び可能なデータ記憶装置である
ことを特徴とする請求項１９に記載の手持式デバイス。
【請求項２６】
前記手持式デバイスにおいて、照準光が、手持式デバイスが販売促進の機会を受信するのに適した方向を向いていることを示す
ことを特徴とする請求項１９に記載の手持式デバイス。
【請求項２７】
スポーツ、レース競技、その他の特別なイベントを使用者が見ることに関連する対話型広告宣伝および販売促進の方法であって、
このようなイベントに関連する補助データを送信し、補助データはスポンサーと関連があり、そのイベントに対して特別な重要性を持つ販売促進の機会を搬送し、スポンサーおよび販売促進の機会は使用者にとって特別な価値のあるものであり、
手持式デバイスの使用者がディスプレイ装置で前記イベントを見ている間に、補助データを受信する手段を提供し、手持式デバイスはディスプレイ装置及び無線信号源から補助データを選択的に受信可能であり、
手持式デバイス上に、手持式デバイスの使用者が前記イベントに参加している間に、補助データを受信する手段を提供し、手持式デバイスは補助データを選択的に受信可能であり、
選択的に販売促進の機会を受信する手持式デバイスの使用者に利益を与え、手持式デバイスは販売促進の機会を受信したことを示す表示を保持可能である
ことを特徴とする対話型広告宣伝および販売促進の方法。
【請求項２８】
販売促進の機会償還用の多目的電子カードであって、
カードに埋め込まれたマイクロプロセッサと、
電子的に前記マイクロプロセッサと接続するメモリと、
電子的に前記マイクロプロセッサ及びメモリと接続する視覚ディスプレイと、
電子的に前記マイクロプロセッサ、メモリ及び視覚ディスプレイと接続する使用者対話型手段と、
電子的に前記マイクロプロセッサ及びメモリと接続し、従来型バーコードスキャナからの光を検出可能な光検出器と、
前記光検出器と電子的に接続するレーザー検出トリガー手段とを備える
ことを特徴とする販売促進の機会償還用の多目的電子カード。
【請求項２９】
販売促進の機会を償還する方法であって、
視覚ディスプレイ手段、光検出器、バーコード検出トリガー手段を有する多目的電子カードを提供し、
前記多目的電子カードをビデオディスプレイに向け、
ビデオディスプレイから電子的価値データを、多目的電子カードで受信し、
前記電子的価値データを多目的電子カードに保存し、
多目的電子カードを、バーコードスキャナを有するコンピュータシステムのある店頭に運び、
視覚ディスプレイ手段で電子的価値データを目視し、同時にバーコードスキャナを用いて前記カードのバーコード検出トリガー手段を作動させ、
前記販売促進の機会を店頭のコンピュータシステムに入力する
ことを特徴とする販売促進の機会を償還する方法。
【請求項３０】
ディスプレイ装置から提供された情報に関する対話型広告宣伝および販売促進の方法であって、
前記情報が提供される間、情報のスポンサーと関連があり、販売促進の機会を搬送する補助データを送信し、
イベントをディスプレイ装置で見ながら、補助データを受信する手段を手持式デバイスの使用者に提供し、手持式デバイスは、カメラと同様な使い方で補助データを取得してもらうために、疑似レンズ付きスナップショットカメラに相似し、
販売促進の機会を選択的に受信する手持式デバイスの使用者に利益を与え、手持式デバイスは販売促進の機会を受信したことを示す表示を保持可能である
ことを特徴とする対話型広告宣伝および販売促進の方法。
【請求項３１】
対話型広告宣伝および販売促進の方法において、
補助データによって受信された前記販売促進の機会を使用者に提供する手段を備える
ことを特徴とする請求項３０に記載の方法。
【請求項３２】
所望の製品を発売元から対話型宣伝広告を通じて購入する方法であって、
所望の商品に関する販売促進の機会を発売元から取得することの可能な手持式デバイスを使用者に供給し、
使用者が所望の製品に関する販売促進の機会を手持式デバイスで取得し、
販売促進の機会を含む使用者の手持式デバイスを第三者に供給し、
手持式デバイスを、インターネットにアクセスするコンピュータと接続可能なコンピュータインターフェースと共に用いて、使用者が所望の製品を購入する
ことを特徴とする所望の製品の購入方法。
【請求項３３】
ディスプレイ装置から提供された情報に関する対話型広告宣伝および販売促進の方法であって、
前記情報が提供される間、情報のスポンサーに関連する補助データを送信し、
手持式デバイスの使用者がイベントをディスプレイ装置で見ながら、インターネットにアクセスするコンピュータ接続用のコンピュータインターフェースを有する手持式デバイスで補助データを受信し、
手持式デバイスで受信した補助データによって、コンピュータを介して手持式デバイスの使用者に利益を与え、使用者は特別なイベントまたは、技能を要するまたは偶然性のゲームが行われている間に、手持式デバイスで補助データを選択的に受信する
ことを特徴とする対話型広告宣伝および販売促進の方法。
【請求項３４】
使用者が、販売促進の機会を示す補助データを含む情報を提供するディスプレイ装置を見ながら使用する手持式デバイスであって、
手持式デバイスは、カメラと同様な使い方で補助データを取得してもらうために、疑似レンズ付きスナップショットカメラに似ている
ことを特徴とする手持式デバイス。